(57)【要約】【課題】セルの列のうねり防止【解決手段】  組電池１０は、隣接するセルの間に配置され、バネを保持する保持部を有する保持部材２６と、第１エンドプレート２８と第２エンドプレート３０の一対の対向する端面２８ｃ，２８ｄ、３０ｃ，３０ｄに、それぞれ引っ張られた状態で架け渡された一対のテンションプレート３２とを備えている。保持部材２６は、セルからはみ出た部位２６ｇを有している。はみ出た部位２６ｇは、一対のテンションプレート３２の両側の縁３２ａが嵌まる溝２６ｇ１をそれぞれ有している。一対のテンションプレート３２の縁３２ａは、保持部材２６の溝２６ｇ１にそれぞれ装着されている。【選択図】図１
2020170616.tif 000002
【特許請求の範囲】
【請求項１】
それぞれ対向する一対の平面部を有し、かつ、隣接するセルの平面部が対向するように並べられた複数のセルと、
前記複数のセルが並べられた方向において、隣接するセルのうち少なくとも１つの隣接するセルの間に配置されたバネと、
前記隣接するセルの間に配置され、前記バネを保持する保持部を有する保持部材と、
前記複数のセルのうち一端のセルの平面部に重ねられ、かつ、一対の対向する端面を有する第１エンドプレートと、
前記複数のセルのうち他端のセルの平面部に重ねられ、かつ、前記第１エンドプレートの一対の対向する端面と同じ方向を向くように配置された一対の対向する端面を有する第２エンドプレートと、
前記第１エンドプレートと前記第２エンドプレートの一対の対向する端面に、それぞれ引っ張られた状態で架け渡された一対のテンションプレートと
を備え、
前記保持部材は、前記隣接するセルからはみ出た部位を有しており、
当該はみ出た部位は、前記一対のテンションプレートの両側の縁が嵌まる溝をそれぞれ有しており、
前記一対のテンションプレートの縁は、前記保持部材の溝にそれぞれ装着されている、
組電池。
【請求項２】
前記溝は、前記テンションプレートの法線方向および前記複数のセルが並べられた方向に直交する方向に沿って、前記テンションプレートの両側の縁が嵌まるように形成されている、請求項１に記載された組電池。
【請求項３】
前記テンションプレートの縁は、前記複数のセルが重ねられた側に向けて折れ曲っており、
前記保持部材は、前記テンションプレートの縁の折れ曲った部位が嵌まる溝を有する、
請求項１に記載された組電池。
【発明の詳細な説明】
【技術分野】
【０００１】
ここでの開示は、組電池に関する。
【背景技術】
【０００２】
特開２００９−０２６７０３号公報には、セル（単電池）が積層された組電池に関し、セルの積層方向において弾性部材を配置し、積層端にエンドプレートを配置し、拘束部材で拘束することが開示されている。
【先行技術文献】
【特許文献】
【０００３】
【特許文献１】特開２００９−０２６７０３号公報
【発明の概要】
【発明が解決しようとする課題】
【０００４】
ところで、本発明者は、セルが積層された組電池に関し、セルの積層方向において、積層されたセルの間に弾性部材を配置し、積層両端にエンドプレートを配置し、かつ、両端のエンドプレートにテンションプレートを取り付けて拘束することを検討している。この場合、セルの積層方向において、セルの間に積層された弾性部材の弾性反力を受けて、積層されたセルが傾き、全体としてセルの列がうねる場合がある。
【課題を解決するための手段】
【０００５】
ここで提案される組電池は、複数のセルと、バネと、第１エンドプレートと、第２エンドプレートと、一対のテンションプレートとを備えている。
複数のセルは、それぞれ対向する一対の平面部を有し、かつ、隣接するセルの平面部が対向するように並べられている。
バネは、複数のセルが並べられた方向において、隣接するセルのうち少なくとも１つの隣接するセルの間に配置されている。
第１エンドプレートは、複数のセルのうち一端のセルの平面部に重ねられ、かつ、一対の対向する端面を有している。
第２エンドプレートは、複数のセルのうち他端のセルの平面部に重ねられ、かつ、第１エンドプレートの一対の対向する端面と同じ方向を向くように配置された一対の対向する端面を有している。
一対のテンションプレートは、第１エンドプレートと第２エンドプレートの一対の対向する端面に、それぞれ引っ張られた状態で架け渡されている。
ここで、保持部材は、隣接するセルからはみ出た部位を有している。当該はみ出た部位は、一対のテンションプレートの両側の縁が嵌まる溝をそれぞれ有している。一対のテンションプレートの縁は、保持部材の溝にそれぞれ装着されている。
【０００６】
かかる組電池によれば、セルの列がうねるのが防止される。
【０００７】
ここで、溝は、テンションプレートの法線方向および複数のセルが並べられた方向に直交する方向に沿って、テンションプレートの両側の縁が嵌まるように形成されていてもよい。
【０００８】
テンションプレートの縁は、複数のセルが重ねられた側に向けて折れ曲っており、保持部材は、テンションプレートの縁の折れ曲った部位が嵌まる溝を有していてもよい。
【図面の簡単な説明】
【０００９】
【図１】図１は、ここで提案される組電池１０を示す斜視図である。
【図２】図２は、組電池１０に組み込まれるセル２２の斜視図である。
【図３】図３は、セル２２に枠２２ｄが装着された状態を示す斜視図である。
【図４】図４は、組電池１０の構造を展開した状態で模式的に示した部分断面図である。
【図５】図５は、セル２２を順に重ねていく手順を模式的に示す斜視図である。
【図６】図６は、セル２２を順に重ねていく手順を模式的に示す斜視図である。
【図７】図７は、他の形態においてテンションプレート３２が取り付けられる工程を模式的に示す斜視図である。
【図８】図８は、他の形態においてブロック１２が傾く様子が模式的に示された模式図である。
【図９】図９は、ここで提案される組電池１０の中間保持部材２６３の斜視図である。
【図１０】図１０は、中間保持部材２６３の溝２６ｇ１にテンションプレート３２の縁３２ａが装着された部分を示す斜視図である。
【図１１】図１１は、他の実施形態に係る組電池１０Ａの斜視図である。
【図１２】図１２は、中間保持部材２６３の斜視図である。
【図１３】図１３は、テンションプレート３２の斜視図である。
【図１４】図１４は、中間保持部材２６３の溝２６ｈにテンションプレート３２の縁３２ａが装着された部分を示す斜視図である。
【発明を実施するための形態】
【００１０】
以下、ここで開示される組電池の一実施形態を説明する。ここで説明される実施形態は、当然ながら特に本発明を限定することを意図したものではない。本発明は、特に言及されない限りにおいて、ここで説明される実施形態に限定されない。
【００１１】
〈組電池１０〉
図１は、ここで提案される組電池１０を示す斜視図である。図２は、組電池１０に組み込まれるセル２２の斜視図である。図３は、セル２２に枠２２ｄが装着された状態を示す斜視図である。図４は、組電池１０の構造を展開した状態で模式的に示した部分断面図である。なお、図１では、組電池１０についてバスバーが取り付けられる前の状態が示されている。
【００１２】
組電池１０は、図１から図４に示されているように、複数のセル２２（図２および図３参照）と、バネ２４（図４参照）と、保持部材２６と、一対のエンドプレート２８，３０と、テンションプレート３２（図１参照）とを備えている。
【００１３】
〈セル２２〉
組電池１０に組み込まれる複数のセル２２は、図２に示されているように、それぞれ対向する平面部２２ａを有している。複数のセル２２は、隣接するセル２２の平面部２２ａが対向するように並べられている。この実施形態では、セル２２は、電極体を収容する外装にラミネートフィルムが用いられた、いわゆるラミネートセルである。なお、セル２２は、特段言及されない限りにおいて、ラミネートセルに限定されない。セル２２は、例えば、アルミ製の直方体の角型ケースに電極体を収容したいわゆる角型の電池でもよい。
【００１４】
この実施形態では、セル２２の中央に平面部２２ａが設けられている。平面部２２ａが設けられたセル２２の中央には、電極体が収容されている。平面部２２ａには、扁平な略矩形の収容空間が形成されている。当該平面部２２ａに収容された電極体は、正極活物質層と負極活物質層とが重ねられている。平面部２２ａは、正極活物質層と負極活物質層とが重ね合わされた方向に直交している。
【００１５】
この実施形態では、セル２２の外装は、ラミネートフィルムであり、セル２２の周縁部２２ｂで接合されている。このうち略矩形のセル２２の片側の短辺では、周縁部２２ｂから第１電極端子２２ｂ１がはみ出ている。セル２２の反対側の短辺では、周縁部２２ｂから第２電極端子２２ｂ２がはみ出ている。第１電極端子２２ｂ１は正極の端子であり、第２電極端子２２ｂ２は負極の端子である。なお、この実施形態では、セル２２の第１電極端子２２ｂ１と第２電極端子２２ｂ２はカットされ、端子パターンが異なるセル２２が用意されている。
【００１６】
〈枠２２ｄ〉
この実施形態では、セル２２の第１電極端子２２ｂ１と第２電極端子２２ｂ２はカットされた後、図３に示されているように、複数のセル２２は、それぞれプレート状の枠２２ｄが嵌められる。枠２２ｄは、セル２２の平面部２２ａに応じた開口２２ｄ１を有している。枠２２ｄは、電極体を収容したセル２２の平面部２２ａに開口２２ｄ１が装着されることによって、セル２２に取り付けられている。枠２２ｄは、セル２２からはみ出ており、当該枠２２ｄの角部には、ガイド孔２２ｄ２が形成されている。セル２２は、図３に示されているように、枠２２ｄが取り付けられた状態で、隣接するセル２２の平面部２２ａが対向するように並べられている。なお、セル２２の第１電極端子２２ｂ１と第２電極端子２２ｂ２は、それぞれ枠２２ｄからはみ出るように所要の長さを有している。
【００１７】
図５および図６は、セル２２を順に重ねていく手順を模式的に示す斜視図である。セル２２は、図５および図６に示されているように、バネ２４を保持した保持部材２６の上に重ねられる。そして、図４に示されているように、保持部材２６の上に重ねられたセル２２の上に、バネ２４を保持した保持部材２６が重ねられ、さらに予め定められた数のセル２２が重ねられる。組電池１０は、バネ２４を保持した保持部材２６を介在させつつセル２２が重ねられている。図４に示されているように、重ねられたセル２２は、バネ２４を保持した保持部材２６によって区分されうる。
【００１８】
なお、図４は、組電池１０の展開図であり、組電池１０の構造が特に模式的に示されている。ここで、保持部材２６および保持部材２６の上に重ねられたセル２２は、１つの纏まりのあるブロック１２とされている。そして、ブロック１２間に間隙があるように図示されている。かかる間隙は実際にはない。また図４では、下側の第１エンドプレート２８と上側の第２エンドプレート３０との間に、ブロック１２が３つ図示されている。また図４では、下側の第１エンドプレート２８と上側の第２エンドプレート３０との間のブロック１２の数は、３つに限定されない。組電池１０では、さらに多くのブロック１２が重ねられうる。
【００１９】
〈バネ２４〉
バネ２４は、弾性部材である。この実施形態では、バネ２４には、円形の皿バネが用いられている。バネ２４は、保持部材２６にそれぞれ保持されている。このうち、中間保持部材２６３に保持されたバネ２４は、図４に示されているように、複数のセル２２が並べられた方向において、少なくとも１つの隣接するセル２２の間に配置されている。なお、この実施形態では、バネ２４とセル２２との間には、後述するようにスペーサ２７ａ，２７ｂが介在している。
【００２０】
〈保持部材２６〉
保持部材２６は、バネ２４を保持する部材である。この実施形態では、保持部材２６は、略矩形のプレート状の部材である。保持部材２６は、バネ２４を保持する保持部として、バネ２４が装着される空洞２６ａを有している。保持部材２６は、セル２２の長手方向に沿って３つのバネ２４が保持されるように、空洞２６ａが形成されている。また、保持部材２６は、隣接するセルが重ねられる部位の外側にはみ出るように所要の大きさを有している。保持部材２６は、例えば、所要の機械的強度を有する樹脂製のプレートである。例えば、保持部材２６には、例えば、ＡＢＳ樹脂などの樹脂が用いられうる。
【００２１】
この実施形態では、保持部材２６には、第１保持部材２６１と、第２保持部材２６２と、中間保持部材２６３との３種類の保持部材２６が用いられている。第１保持部材２６１は、セル２２と、下側に配置される第１エンドプレート２８との間に配置されている。中間保持部材２６３は、図４に示されているように、バネ２４が配置された状態で、組電池１０の、隣接するセル２２の間に配置されている。第２保持部材２６２は、セル２２と、上側に配置される第２エンドプレート３０との間に配置される。
【００２２】
〈エンドプレート２８，３０〉
エンドプレート２８，３０は、組電池１０の両端に配置されるプレートである。エンドプレート２８，３０は、それぞれ組電池１０の各セル２２を拘束する拘束部材の１つである。ここで、下側のエンドプレート２８には、バネ２４を位置決めするための突起２８ａが設けられている。突起２８ａは、下側のエンドプレート２８に重ねられる第１保持部材２６１の空洞２６ａに突出するように、エンドプレート２８に設けられているとよい。また、上側のエンドプレート３０にも同様に、バネ２４を位置決めするための突起３０ａがそれぞれ設けられている。突起３０ａは、上側のエンドプレート３０に重ねられる第２保持部材２６２の空洞２６ａに突出するように、エンドプレート３０に設けられているとよい。
【００２３】
この実施形態では、一対のエンドプレート２８，３０は、それぞれ略矩形のプレートである。下側のエンドプレート２８は、一対の対向する端面２８ｃ，２８ｄを有している。上側のエンドプレート３０は、下側のエンドプレート２８の一対の対向する端面２８ｃ，２８ｄと同じ方向を向くように配置された一対の対向する端面３０ｃ，３０ｄを有している。
【００２４】
この実施形態では、下側のエンドプレート２８は、適宜に第１エンドプレートと称される。上側のエンドプレート３０は、適宜に第２エンドプレートと称される。第１エンドプレート、第２エンドプレートは、両者を区別するために、便宜上、第１，第２としており、特段、上下を区別するものではない。また、組電池１０は、横向きに配置されてもよく、一対のエンドプレート２８，３０は、特に、上下に配置されることに限定されない。
【００２５】
〈スペーサ２７ａ，２７ｂ〉
スペーサ２７ａ，２７ｂは、それぞれ中間保持部材２６３と、セル２２との間に配置されている。この実施形態では、中間保持部材２６３の下側にはバネ２４を支持するプレート状のスペーサ２７ａが取り付けられている。かかるスペーサ２７ａには、バネ２４を位置決めするための突起２７ａ１が設けられている。突起２７ａ１は、中間保持部材２６３の空洞２６ａに突出するように、スペーサ２７ａに設けられているとよい。
【００２６】
第１保持部材２６１および中間保持部材２６３に保持されたバネ２４の上には、プレート状のスペーサ２７ｂが配置されている。また、第２保持部材２６２に保持されたバネ２４の下にもプレート状のスペーサ２７ｂが配置されている。スペーサ２７ａ、２７ｂには、所要の厚さのスペーサが選択的に採用される。かかるスペーサ２７ａおよび２７ｂを介して、重ねられたセル２２のブロック１２に、圧縮されたバネ２４の弾性反力が作用する。
【００２７】
〈ガイド軸２７ｃ〉
第１保持部材２６１と中間保持部材２６３は、ガイド軸２７ｃを装着するための取付穴２６ｂを有している。取付穴２６ｂは、隣接するセルが重ねられる部位の外側にはみ出た部位に形成されている。取付穴２６ｂは、保持部材２６１および２６３の上面に形成されている。取付穴２６ｂは、装着されるガイド軸２７ｃに、セル２２に取り付けられた枠２２ｄの角部に形成されたガイド孔２２ｄ２の位置が合うように形成されている。取付穴２６ｂは、ガイド軸２７ｃの下端がぴったり嵌まるように形成されており、ガイド軸２７ｃの下端が圧入される。取付穴２６ｂに装着されたガイド軸２７ｃは、第１保持部材２６１と中間保持部材２６３に立った状態で維持される。
【００２８】
第２保持部材２６２と中間保持部材２６３の下面には、ガイド軸２７ｃの上端が嵌まる窪み２６ｃが設けられている。窪み２６ｃは、組付け性が考慮され、ガイド軸２７ｃの上端の外径に対して少し大きい内径を有している。このため、取付穴２６ｂに装着されたガイド軸２７ｃが少し傾いていても、第２保持部材２６２や中間保持部材２６３を重ねることができる。
【００２９】
以下、セル２２を順に重ねていく手順を説明する。
【００３０】
図５に示されているように、先ず、下側のエンドプレート２８を水平に配置し、その上に第１保持部材２６１を取り付ける。下側のエンドプレート２８には、第１保持部材２６１を位置決めするための突起２８ｂ（図４参照）が設けられている。また、エンドプレート２８は、第１保持部材２６１の空洞２６ａに突出する突起２８ａを有している。かかる突起２８ａにバネ２４が装着され、バネ２４が装着された後で、第１保持部材２６１にスペーサ２７ｂが装着される。第１保持部材２６１には、かかるスペーサ２７ｂが装着される段差２６ｄが形成されている。
【００３１】
次に、図５に示されているように、保持部材２６１の取付穴２６ｂにガイド軸２７ｃが装着されて立てられる。セル２２は、図６に示されているように、枠２２ｄが取り付けられた状態で、枠２２ｄのガイド孔２２ｄ２（図３参照）を、保持部材２６に取り付けられたガイド軸２７ｃに装着していく。これにより、ガイド軸２７ｃに沿って、枠２２ｄが位置決めされる。セル２２は、枠２２ｄが取り付けられている。このため、ガイド軸２７ｃおよび枠２２ｄによって位置決めされながらセル２２が並べられる。このため、セル２２が並べられる積層方向において、隣接するセル２２の平面部２２ａ（図３参照）が重ねられる。セル２２の間には、適宜に、冷却板２２ｅが重ねられうる。また、所定の数のセル２２および冷却板２２ｅが重ねられた後、断熱板２２ｆが重ねられる。冷却板２２ｅや断熱板２２ｆは、ガイド軸２７ｃに装着されるガイド孔２２ｅ１，２２ｆ１を有しているとよい。このようにして予め定められた数のセル２２が第１保持部材２６１の上に重ねられる。
【００３２】
次に、第１保持部材２６１の上に重ねられたセル２２をプレスする。そして、重ねられたセル２２の寸法（高さ）を測定する。そして、図４に示されているように、所要の厚さのスペーサ２７ａを取り付ける。第１保持部材２６１と、第１保持部材２６１の上に重ねられたセル２２とで構成されたブロック１２の厚さに対して、スペーサ２７ａの厚さを調整している。さらに、中間保持部材２６３が重ねられ、中間保持部材２６３の空洞２６ａにバネ２４が装着される。ここで、バネ２４は、スペーサ２７ａの突起２７ａ１に装着される。さらに中間保持部材２６３の上にスペーサ２７ｂを配置する。なお、第１保持部材２６１と、第１保持部材２６１の上に重ねられたセル２２とで構成されたブロック１２の寸法（高さ）を測定した後の厚さの調整は、スペーサ２７ｂの厚さで調整してもよい。
【００３３】
次に、中間保持部材２６３の取付穴２６ｂにガイド軸２７ｃを装着する。そして、中間保持部材２６３の上に重ねられたスペーサ２７ｂの上にさらに、予め定められた数のセル２２が重ねられたブロック１２が形成される。当該ブロック１２において、セル２２の間には、適宜に、冷却板やスペーサが重ねられうる。このようにバネ２４を保持した中間保持部材２６３の上にセル２２が重ねられたブロック１２が、予め定められた数、重ねられる。保持部材２６の上にセル２２が重ねられる度に、プレスし、寸法（高さ）を測定し、スペーサ２７ａまたはスペーサ２７ｂの厚さを調整するとよい。これによって、組電池１０全体の高さが調整される。
【００３４】
セル２２が重ねられたブロック１２が予め定められた数重ねられた後、スペーサ２７ｂを介して上側の第２保持部材２６２、バネ２４およびエンドプレート３０が重ねられる。上側のエンドプレート３０には、第２保持部材２６２を位置決めするための突起３０ｂが設けられている。
【００３５】
図７は、テンションプレート３２が取り付けられる工程を模式的に示す斜視図である。なお、図７は、ここで提案される形態ではなく、中間保持部材２６３とテンションプレート３２とは、繋ぎ合わされていない仮定の状態が示されている。
【００３６】
ここで、テンションプレート３２は、所要の機械的強度を有する金属製のプレートである。例えば、厚さ１ｍｍ〜３．２ｍｍ程度の鋼板（例えば、ＳＰＣ５９０）が用いられうる。なお、ここで、テンションプレート３２の厚さは、エンドプレート２８，３０に取り付けられて引っ張られる前の厚さで評価している。
【００３７】
図７に示されているように、上下両端のエンドプレート２８，３０は、上下方向にプレスされる。このとき、上下両端のエンドプレート２８，３０間において、保持部材２６に保持されたバネ２４および重ねられたセル２２は全体として加圧圧縮される。そして、このように加圧圧縮された状態の上下両端のエンドプレート２８，３０の端面にテンションプレート３２が架け渡される。テンションプレート３２は、上下両端のエンドプレート２８，３０の端面のうち同じ方向に向いた端面に架け渡されている。そして、上下両端のエンドプレート２８，３０の端面にテンションプレート３２が接合される。テンションプレート３２は、略矩形のエンドプレート２８，３０の一対の長辺に沿った端面に、それぞれ架け渡された状態で溶接される。
【００３８】
なお、仮に、この状態で、上下両端のエンドプレート２８，３０を加圧圧縮した力が除荷されると、保持部材２６に保持されたバネ２４およびセル２２の弾性反力によって、テンションプレート３２にテンションが掛る。テンションプレート３２は、このように保持部材２６に保持されたバネ２４の弾性反力を受けて、両端の一対のエンドプレート２８，３０に引っ張られた状態になる。他方で、セル２２が厚さ方向に並べられたブロック１２は、それぞれ所要の圧縮荷重が掛った状態になる。また、セル２２が厚さ方向に並べられたブロック１２は、ガイド軸２７ｃによって一体性が保たれている。ブロック１２間では、保持部材２６に保持されたバネ２４の弾性反力が作用する。
【００３９】
しかしながら、本発明者の知見では、この状態のまま、上下両端のエンドプレート２８，３０を加圧圧縮した力が除荷されると、バネ２４の弾性反力を受けてブロック１２がバランスを崩す場合がある。その結果、エンドプレート２８，３０間で、ブロック１２が傾く。ブロック１２が傾くと、ブロック１２毎にセル２２に作用する拘束圧に差が生じ、セル２２毎に性能にバラツキが生じやすくなる。特に、セル２２の膨張収縮が大きく、セル２２に高い拘束圧を作用させる必要がある場合には、バネ２４が高い弾性反力を作用させる必要がある。このような場合には、バネ２４によって高い弾性反力がブロック１２に作用する。このため、上下両端のエンドプレート２８，３０を加圧圧縮した力が除荷される際に、ブロック１２がバランスを崩して傾き易い。
【００４０】
図８は、ブロック１２が傾く様子が模式的に示された模式図である。なお、図８では、エンドプレート２８，３０を加圧圧縮した力が除荷された際に、ブロック１２毎に傾く様子が模式的に示されている。実際には、ブロック１２の数や、ブロック１２間の隙間などは存在しない。図８に示されているように、エンドプレート２８，３０間で、ブロック１２が傾くと、重ねられたセル２２の列が全体としてうねるような状態になる。
【００４１】
〈溝２６ｇ１〉
図９は、ここで提案される組電池１０の中間保持部材２６３の斜視図である。この実施形態では、保持部材２６としての中間保持部材２６３は、隣接するセル２２からはみ出た部位２６ｇを有している。当該はみ出た部位２６ｇは、テンションプレート３２の両側の縁３２ａ（図１参照）が嵌まる溝２６ｇ１をそれぞれ有している。一対のテンションプレート３２の縁３２ａは、図１に示されているように、保持部材２６の溝２６ｇ１にそれぞれ装着されている。
【００４２】
図９に示された形態では、中間保持部材２６３は、略矩形のプレートである。中間保持部材２６３の長辺に沿った端面は、テンションプレート３２（図１参照）に対向する。この実施形態では、中間保持部材２６３は、特に四隅、および、短片に沿って、隣接するセル２２からはみ出ている。そして、当該隣接するセル２２からはみ出た部位２６ｇは、それぞれテンションプレート３２の縁３２ａが嵌まる溝２６ｇ１を有している。特に、図９に示された形態では、テンションプレート３２に対向する中間保持部材２６３の長辺の両側の部分が、テンションプレート３２に重なるようにセル２２からはみ出ている。そして、当該セル２２からはみ出た部位２６ｇに、中間保持部材２６３の長辺に沿った溝２６ｇ１が形成されている。溝２６ｇ１は、テンションプレート３２の縁３２ａが嵌まりうるように、テンションプレート３２の厚さに応じた所要の間隙を有している。換言すると、この実施形態では、溝２６ｇ１は、テンションプレート３２の法線方向および複数のセル２２が並べられた方向に直交する方向に沿って、前テンションプレート３２の両側の縁３２ａが嵌まるように形成されている。
【００４３】
この実施形態では、図１に示されているように、組電池１０には、複数のセル２２が並べられた方向において、複数の中間保持部材２６３が間欠的に配置されている。そして、各中間保持部材２６３は、中間保持部材２６３の長辺に沿った方向において、テンションプレート３２の両側の縁３２ａに対応した部分がテンションプレート３２に重なっている。そして、当該部分に、中間保持部材２６３の長辺に沿った溝２６ｇ１が形成されている。テンションプレート３２の縁３２ａは、各中間保持部材２６３の溝２６ｇ１にそれぞれ装着される。図１０は、中間保持部材２６３の溝２６ｇ１にテンションプレート３２の縁３２ａが装着された部分を示す斜視図である。
【００４４】
例えば、下側のエンドプレート２８の上に、複数のセル２２および中間保持部材２６３が重ねられた後、上側のエンドプレート３０を重ね、上下のエンドプレート２８，３０をプレス機で圧縮する。この状態で、各中間保持部材２６３の溝２６ｇ１に、両側の縁を装着しつつ、テンションプレート３２装着する。このように、中間保持部材２６３の溝２６ｇ１にテンションプレート３２の縁３２ａが装着された状態で、エンドプレート２８，３０にテンションプレート３２を取り付ける。この実施形態では、テンションプレート３２は、エンドプレート２８，３０にそれぞれ溶接される。
【００４５】
その後、エンドプレート２８，３０を加圧圧縮している力を除荷する。この実施形態では、テンションプレート３２の縁３２ａは、各中間保持部材２６３の溝２６ｇ１にそれぞれ装着されている。エンドプレート２８，３０を加圧圧縮している力が除荷されると、エンドプレート２８，３０によって加圧圧縮されたセル２２およびバネ２４の弾性反力が、エンドプレート２８，３０に作用する。このため、テンションプレート３２は、エンドプレート２８，３０によって引っ張られる。この実施形態では、テンションプレート３２は、薄い鋼板である。テンションプレート３２は、エンドプレート２８，３０によって引っ張られることによって、所要の剛性を発揮する。テンションプレート３２の縁３２ａは、各中間保持部材２６３の溝２６ｇ１にそれぞれ装着されている。このため、テンションプレート３２によって各中間保持部材２６３の姿勢が維持される。その結果、上下両端のエンドプレート２８，３０を加圧圧縮した力が除荷された際に、ブロック１２の姿勢が維持される。このように、ブロック１２の姿勢が維持されるので、重ねられたセル２２がうねるような状態になるのが防止される。
【００４６】
このように、保持部材２６は、隣接するセル２２からはみ出た部位を有しており、当該はみ出た部位は、一対のテンションプレート３２の両側の縁３２ａが嵌まる溝２６ｇ１をそれぞれ有している。そして、一対のテンションプレート３２の縁３２ａは、保持部材２６の溝２６ｇ１にそれぞれ装着されている。このため、エンドプレート２８，３０を加圧圧縮した力が除荷された際に、保持部材２６がテンションプレート３２によって支持される。その結果、重ねられたセル２２がうねるような状態になるのが防止され、保持部材２６の上に重ねられたセル２２に作用する拘束圧の差が小さくなる。このため、セル２２毎の性能のバラツキを小さくすることができる。
【００４７】
図１，図９および図１０に示された形態では、中間保持部材２６３の溝２６ｇ１は、テンションプレート３２の法線方向および複数のセル２２が並べられた方向に直交する方向に沿って、テンションプレート３２の両側の縁３２ａが嵌まるように形成されている。テンションプレート３２および溝２６ｇ１の構造は、かかる構造に限定されない。
【００４８】
図１１は、他の実施形態に係る組電池１０Ａの斜視図である。図１２は、中間保持部材２６３の斜視図である。図１３は、テンションプレート３２の斜視図である。図１４は、中間保持部材２６３の溝２６ｈにテンションプレート３２の縁３２ａが装着された部分を示す斜視図である。
【００４９】
〈折れ曲った部位３２ａ１〉
図１１に示された形態では、テンションプレート３２の両側の縁３２ａは、図１３に示されているように、複数のセル２２が重ねられた側に向けてそれぞれ折れ曲っている。この実施形態では、図１１に示されているように、エンドプレート２８，３０は、略矩形のプレートである。テンションプレート３２は、エンドプレート２８，３０の長さ方向の端面に合せて取り付けられる。エンドプレート２８，３０の長さ方向に沿って、テンションプレート３２は、エンドプレート２８，３０と同じか、エンドプレート２８，３０よりも幅が広い。テンションプレート３２の両側の縁３２ａは、図１１に示されているように、エンドプレート２８，３０の両側に沿うように折り曲げられている。なお、テンションプレート３２の折れ曲った部位３２ａ１は、かかる構造に限定されない。例えば、テンションプレート３２がエンドプレート２８，３０に接合される部分には、折れ曲った部位３２ａ１は無くてもよい。テンションプレート３２の折れ曲った部位３２ａ１は、テンションプレート３２がセル２２および保持部材２６と対向する部位に設けられているとよい。
【００５０】
〈溝２６ｈ〉
保持部材２６は、テンションプレート３２の縁３２ａの折れ曲った部位３２ａ１が嵌まる溝２６ｈを有している。この実施形態では、図１３に示されているように、溝２６ｇ１は、テンションプレート３２の法線方向および複数のセル２２が並べられた方向に直交する方向に沿って、前テンションプレート３２の両側の縁３２ａが嵌まるように形成されている。
【００５１】
図１２には、保持部材２６としての中間保持部材２６３の斜視図が示されている。図１２に示されているように、中間保持部材２６３は、テンションプレート３２に対向する長さ方向に沿った端面に溝２６ｈを有している。溝２６ｈは、テンションプレート３２の縁３２ａの折れ曲った部位３２ａ１が嵌まるように、中間保持部材２６３の長さ方向に沿った端面に予め定められた間隔で、かつ、予め定められた幅および深さで形成されている。
【００５２】
この組電池１０では、図１４に示されているように、中間保持部材２６３の溝２６ｈにテンションプレート３２の縁３２ａが装着されている。なお、この実施形態では、図１４に示されているように、セル２２に取り付けられる枠２２ｄにも、テンションプレート３２の折れ曲った部位３２ａ１が嵌まる溝２２ｄ３が形成されている。この実施形態では、図１１に示されているように、下側のエンドプレート２８に重ねられる第１保持部材２６１および上側のエンドプレート３０に重ねられる第２保持部材２６２にも、テンションプレート３２の折れ曲った部位３２ａ１が嵌まる溝２６ｈが形成されている。なお、図１１に示された実施形態では、セル２２に取り付けられる枠２２ｄに、テンションプレート３２の折れ曲った部位３２ａ１が嵌まる溝２２ｄ３が設けられている。セル２２に取り付けられる枠２２ｄは、テンションプレート３２に干渉しないように構成されているとよく、このような溝２２ｄ３が無くてもよい。
【００５３】
例えば、下側のエンドプレート２８の上に、複数のセル２２および保持部材２６が重ねられた後、上側のエンドプレート３０を重ね、上下のエンドプレート２８，３０をプレス機で圧縮する。この状態で、各保持部材２６の溝２６ｈに、両側の折れ曲った部位３２ａ１を装着しつつテンションプレート３２を、エンドプレート２８，３０の長辺に沿った端面に合せて装着する。この際、この実施形態では、枠２２ｄの溝２２ｄ３にも、テンションプレート３２の折れ曲った部位３２ａ１が装着される。このように、中間保持部材２６３の溝２６ｈおよび枠２２ｄの溝２２ｄ３に、テンションプレート３２の折れ曲った部位３２ａ１が装着された状態で、エンドプレート２８，３０にテンションプレート３２を取り付ける。この実施形態では、テンションプレート３２は、エンドプレート２８，３０にそれぞれ溶接される。
【００５４】
その後、エンドプレート２８，３０を加圧圧縮している力を除荷する。この実施形態では、テンションプレート３２の縁３２ａは、各中間保持部材２６３の溝２６ｈにそれぞれ装着されている。エンドプレート２８，３０を加圧圧縮している力が除荷されると、エンドプレート２８，３０によって加圧圧縮されたセル２２およびバネ２４の弾性反力が、エンドプレート２８，３０に作用する。このため、テンションプレート３２は、エンドプレート２８，３０によって引っ張られ、所要の剛性を発揮する。テンションプレート３２の折れ曲った部位３２ａ１は、各中間保持部材２６３の溝２６ｈにそれぞれ装着されている。このため、テンションプレート３２によって各中間保持部材２６３の姿勢が維持される。その結果、上下両端のエンドプレート２８，３０を加圧圧縮した力が除荷された際に、ブロック１２の姿勢が維持される。このように、ブロック１２の姿勢が維持されるので、重ねられたセル２２がうねるような状態になるのが防止される。また、この実施形態では、セル２２に取り付けられた枠２２ｄの溝２２ｄ３にも、テンションプレート３２の折れ曲った部位３２ａ１が装着されている。これにより、セル２２に取り付けられた枠２２ｄもテンションプレート３２によって姿勢が維持される。このため、ブロック１２の姿勢がさらに維持されやすい。
【００５５】
このように、保持部材２６は、隣接するセル２２からはみ出た部位を有しており、当該はみ出た部位は、一対のテンションプレート３２の両側の縁３２ａの折れ曲った部位３２ａ１が嵌まる溝２６ｈをそれぞれ有している。そして、一対のテンションプレート３２の縁３２ａは、保持部材２６の溝２６ｇ１にそれぞれ装着されている。このため、エンドプレート２８，３０を加圧圧縮した力が除荷された際に、保持部材２６がテンションプレート３２によって支持される。その結果、重ねられたセル２２がうねるような状態になるのが防止され、保持部材２６の上に重ねられたセル２２に作用する拘束圧の差が小さくなる。このため、セル２２毎の性能のバラツキを小さくすることができる。
【００５６】
ここで提案される組電池１０は、図１あるいは図１１に示されているように、一対のテンションプレート３２の縁３２ａは、保持部材２６の溝２６ｇ１，２６ｈにそれぞれ装着されている。このため、エンドプレート２８，３０を加圧圧縮した力が除荷された際に、保持部材２６がテンションプレート３２によって支持される。これにより、保持部材２６の姿勢が維持され、保持部材２６の上に重ねられたセル２２に作用する拘束圧の差が小さくなる。セル２２毎の性能のバラツキを小さくすることができる。また、一対のテンションプレート３２の縁３２ａは、保持部材２６の溝２６ｇ１，２６ｈにそれぞれ装着されているが、テンションプレート３２に対して、姿勢を維持しつつテンションプレート３２に沿って保持部材２６は動くことができる。このため、セル２２の膨張収縮などによって、保持部材２６の両側で作用する力が変動する場合には、適当な位置に保持部材２６が移動しうる。このため、組電池１０全体として、セル２２に作用する拘束圧の差が小さくなる。セル２２毎の性能のバラツキを小さくすることができる。
【００５７】
以上、ここで開示される組電池について、種々説明した。特に言及されない限りにおいて、ここで挙げられた組電池の実施形態などは、本発明を限定しない。また、ここで開示される組電池は、種々変更でき、特段の問題が生じない限りにおいて、各構成要素やここで言及された各処理は適宜に省略され、または、適宜に組み合わされうる。
【符号の説明】
【００５８】
１０，１０Ａ  組電池
１２  ブロック
２２  セル
２２ａ  平面部
２２ｂ  周縁部
２２ｂ１  第１電極端子
２２ｂ２  第２電極端子
２２ｄ  枠
２２ｄ１  開口
２２ｄ２  ガイド孔
２２ｄ３  溝
２２ｅ  冷却板
２２ｅ１  ガイド孔
２２ｆ  断熱板
２２ｆ１  ガイド孔
２４  バネ
２６  保持部材
２６ａ  空洞（保持部）
２６ｂ  取付穴
２６ｃ  窪み
２６ｄ  段差
２６ｇ  セル２２からはみ出た部位
２６ｇ１  溝
２６ｈ  溝
２７ａ  スペーサ
２７ａ１  突起
２７ｂ  スペーサ
２７ｃ  ガイド軸
２８  エンドプレート
２８ａ  突起
２８ｂ  突起
２８ｃ，２８ｄ  端面
３０  エンドプレート
３０ａ  突起
３０ｂ  突起
３０ｃ，３０ｄ  端面
３２  テンションプレート
３２ａ  縁
３２ａ１  折れ曲った部位
２６１  第１保持部材
２６２  第２保持部材
２６３  中間保持部材
【図１】
2020170616.tif 000003
【図２】
2020170616.tif 000004
【図３】
2020170616.tif 000005
【図４】
2020170616.tif 000006
【図５】
2020170616.tif 000007
【図６】
2020170616.tif 000008
【図７】
2020170616.tif 000009
【図８】
2020170616.tif 000010
【図９】
2020170616.tif 000011
【図１０】
2020170616.tif 000012
【図１１】
2020170616.tif 000013
【図１２】
2020170616.tif 000014
【図１３】
2020170616.tif 000015
【図１４】
2020170616.tif 000016